Podtech/llm-jp-corpus-v4-ja_patent huggingface dataset:
(57)【要約】      （修正有）【課題】土がつきにくく、土も洩れない改良鍬を提供する。【解決手段】鉄板部の土のつき易い面積を減少する。其の手段として、鉄板の中央部に長方形の空間５を作り、其の空間と鉄板を交互に、平行に配列して土が辷り落ち易くする。【選択図】図１
0003104110.tif 000002
【実用新案登録請求の範囲】
【請求項１】
本案は農耕用鍬の鉄板部に、長方形の空間を作り鉄板面積を減少、この空間と鉄板を交互に配列、平行にする事を特徴とする改良鍬。
【考案の詳細な説明】
【技術分野】
【０００１】本考案は、農耕用鍬の鉄板部に長方形の空間を作り、鉄板と交互に配列した、改良鍬に関するものである。
【背景技術】
【０００２】従来の鍬は、土のつき易い鉄板面積が広く、矩形状の一枚の鉄板であった。
四本鍬は、刄先迄平行した鉄板で、刄先も四本分離しているので土はつかないが、鉄板部も短く農耕作業に万能と言えないので利用度は低い。
【考案の開示】
【考案が解決する課題】
【０００３】鍬に土がつくと、作業がやりにくくなるので、作業を中止して土落しをする事は、無駄な時間と労力の浪費である。本案はこの缺点を解決しようとするものである。
【課題を解決するための手段】
【０００４】土のつき易い鉄板部の面積を縮少する。其のために、中央部に長方形の空間を作り、鉄板１から４迄と、交互に配列平行にする。
この時に留意する事は、鉄板１と４は僅か広くする。これは鉄板全体の強度の保持と、農耕作業には鉄板１と４の外側の面の利用が多く、すりへり易いため。
【考案の効果】
【０００５】土のつき易い鉄板面積が縮少した事と、更に鉄板中央部の空間と１から４迄の鉄板の平行は、作業で鍬を振り上げる方向に常に平行しているので、土が辷り落ち易いので土がつきにくい。又鉄板の空間より土洩れはなく、刄先も平らな鉄板であるので、作業後の耕地は凹凸も無く整然となる。
【実施するための最良の形態】
【０００６】粘質土や降雨後の湿度の多い耕地の場合に効果大で、又鍬の全重量も少し軽くて土がつきにくいので女性や老人も使い易い。
【実施例】
【０００７】この改良鍬は一昨年考案し、今８１才、現役で農耕一年有余使用しての体験で、土がつきにくい事が立証出来る。次に私の試験結果を数字で示す。
【実施例１】
【０００８】試験要領。なるべく土質の異る又天候湿度を考え、四ヶ所の畑で実施。作業要領全く同一條件で、従来の鍬に対して改良鍬につく土の量を重量比とした。結果は一番少なかったのは、２６パーセント全体の平均値で３３パーセント。
【実施例２】
【０００９】作物の植付けの準備のために、二通りの溝を掘る作業。ここは直線３８米の畑、従来の鍬と改良鍬の土を落す回数の比較する良き機会と考え実施する。従来の鍬は土落しのため作業を四回中止をしたが、改良鍬は一度も土落しせず同じ３８米完了。改良鍬も若干つくが作業に支障して困る程にならなかった。以上は一例である。これと別に従来の鍬は土がついた時、振り上げて柄の取りつけ部の鉄を地面に打ち当てる如く振動をしても土は落ちにくいが、改良鍬は多く辷り落ちるので作業が容易である。
【産業上の利用可能性】
【００１０】現在機械化された農家でも、鍬は必需品であり使用すれば必ず土はつく、時には僅か一時間の作業でも土落しで作業を中止する無駄は何回もある。年間一農家の土の量と無駄な時間は大きい。全国農家で算出したら莫大。然も長い年月これが繰りかえされ農民の過労の原因の一部はここにも有り、時間と労力の浪費の解消は、保健につながる
【図面の簡単な説明】
【００１１】
【図１】改良鍬斜視図
【図２】改良鍬鉄板中央部断面図
【図３】従来の鍬斜視図
【図４】四本鍬斜視図
【符号の説明】
【００１２】  １  中央部鉄板外側
２  中央部鉄板中側
３  中央部鉄板中側
４  中央部鉄板１の反対外側
５  中央部鉄板の空間
６  鍬の柄
７  柄の取り付け部
８  刄先
９  鉄板全体
１０  中央部鉄板
【図１】
0003104110.tif 000003
【図２】
0003104110.tif 000004
【図３】
0003104110.tif 000005
【図４】
0003104110.tif 000006
(57)【要約】      （修正有）【課題】ずれ、外れがなく、排尿時の取り外し、装着がワンタッチで素早く出来るコンパクトな尿とりパットの提供。【解決手段】下部を密閉端１とし、上部を開口端２とした吸収材からなる袋体３を形成し、開口端２の上部中心より長方形に切り抜いてペニス４を入れる切り込み部５を設け、切り込み部５の上部両端に、閉じ止め具６を取り付けペニス４を切り込み部５に入れ込みペニス４を挟み込みこんで、閉じ止め具６で止めペニス４と袋体３を固定して尿を取る本考案は以上の構成よりなる男性用尿とりパッドである。【選択図】図１
0003104109.tif 000002
【実用新案登録請求の範囲】
【請求項１】
下部を密閉端（１）とし、上部を開口端（２）とした吸収材からなる袋体（３）を形成し、開口端（２）の片面の上部中心より長方形に切り抜いて、ペニス（４）を入れる切り込み部（５）を設け切り込み部（５）の上部両端に、閉じ止め具（６）を取り付けた男性用尿とりパッド。
【考案の詳細な説明】
【技術分野】
【０００１】本考案は男性の泌尿器手術後の尿漏れや、普通の日常生活は出来るが尿漏れがして下着が濡れて困る人達が着用する尿とりパッドで、特に毎回の排尿時の取り外し、装着がワンタッチで出来、ずれ、外れを防止する男性用尿とりパッドに関するものである。
【背景技術】
【０００２】従来より使用されている尿とりパッドは、長方形の尿とりパッドを円錐形の形にしてペニスを挿入するタイプや、ペニスを挿入する穴を設けて包み込むタイプなど病人や看護を要する人のものだった。
【考案の開示】
【考案が解決しようとする課題】
【０００３】通常の日常生活をしているが常に尿漏れがして止まらない男性の場合、円錐形の尿とりパッドはパンツの中で、ずれたり、外れたりしやすい。又ペニスを穴に挿入し包み込むタイプは、排尿時に取り外し、装着が面倒である本考案は以上の点を解決するために、なされたものである。
【課題を解決するための手段】
【０００４】下部を密閉端（１）とし上部を開口端（２）とした吸収材からなる袋体（３）を形成し、開口部（２）の片面の上部中心より長方形に切り抜いて、ペニス（４）をいれる切りる込み部（５）を設け切り込み部（５）の上部両端に、閉じ止め具（６）を取り付けてペニス（４）を切り込み部（５）に入れ込みペニス（４）を挟み込んで、閉じ止め具（６）で止めてペニス（４）と袋体（３）を固定し尿を取る本考案は以上の構成よりなる男性用尿とりパッドである。
【考案の効果】
【０００５】本考案を使用することによって、通常の日常生活は出来るが常に尿漏れがして下着が濡れる男性に、快適に装着出来る。なぜなら、尿とりパッドの中え切り込み部よりペニスを入れて、切り込み部の上部両端に取り付けた、閉じ止め具でペニスを挟み込んで止めるため、ずれ、外れがなく、排尿時にはワンタッチで取り外し装着が素早く出来て又、コンパクトな尿とりパットで携帯用にも便利である。
【考案を実施するための最良の形態】
【０００６】以下、考案を実施するための最良の形態を説明する。下部を密閉端（１）とし、上部を開口端（２）とした吸収材からなる長方形偏平の袋体（３）を形成し、開口部（２）の片面の上部中心より長方形に切り抜いてペニス（４）を入れる切り込み部（５）を設け切り込み部（５）の上部両端に、閉じ止め具（６）を取り付けた尿とりパッドであり図面に基づいて説明すると図１は本考案の尿とりパッド本体斜視図であり図２は切り込み部（５）よりペニス（４）を挿入する斜視図、図３はペニスを挟み込んで、閉じ止め具で止めた斜視図でペニスが尿とりパットに固定され、ずれ、外れが防止され取り外しは、閉じ止め具を外し図２の状態になるので簡単にペニスが取り出せる吸収材は外面を非透水性シートで、内面を透水性シートとし、外面、内面シートの間に吸水材を内包したものが最良であり、切り込み部（５）の下端は図１に示すようにＵ字型にすれば、ペニスの形状合わせる事ができ、又、破れにくくなる。
【図面の簡単な説明】
【０００７】
【図１】本考案の斜視図
【図２】本考案の斜視図
【図３】本考案の使用状態を示す斜視図
【符号の説明】
【０００８】    １  密閉端
２  開口端
３  袋体
４  ペニス
５  切り込み部
６  閉じ止め具
【図１】
0003104109.tif 000003
【図２】
0003104109.tif 000004
【図３】
0003104109.tif 000005
(57)【要約】      （修正有）【課題】皮膚の表皮になめらかに回転してマッサージ効果を発揮して肌を整えることができる回転美肌活性器を提供する。【解決手段】活性器本体１を握柄部２と装着部３とより構成し、該装着部に対して、前方にマグネシウムローラー部５と、その後方にチタンローラー部または銅ローラー部６を並設する。該装着部の各支軸７，８に該マグネシウムローラー部と該チタンローラー部または該銅ローラー部を回転自在に軸止したことを特徴としている。【選択図】図１
0003104107.tif 000002
【実用新案登録請求の範囲】
【請求項１】
活性器本体（１）は、握柄部（２）と装着部（３）とより構成され、該装着部（３）には、前方にマグネシウムローラー部（５）と、該マグネシウムローラー部（５）の後方に所定間隔を設けてチタンローラー部（６）または銅ローラー部（６）を並設し、且つ該マグネシウムローラー部（５）と該チタンローラー部（６）または該銅ローラー部（６）との外周の寸法を同一とすると共に、内部に貫通孔（９）及び凹弧孔（１０）を穿設し、該貫通孔（９）及び該凹弧孔（１０）には、該装着部（３）に設けた支軸（７）と支軸（８）とに各々回転自在に軸止されたことを特徴とする回転美肌活性器。
【考案の詳細な説明】
【技術分野】
【０００１】  本考案は、２個のローラー部を把手操作で表皮面になめらかに転がすことでマッサージ効果を達成し、美しい肌に活性化することを目的とした回転美肌活性器に関するものである。
【背景技術】
【０００２】  従来この種の回転用の美肌活性器においては、普通１個の回転ローラーを肌に充てて回転することによって肌面に刺激を与えて活性化することが実施されている。  また、スキンケアーの技術としてマグネシウムやカルシウムイオンが肌の美容に大変効果があることは知られている。
【考案の開示】
【考案が解決しよとうする課題】
【０００３】  従来の技術で実施されている前者の１個のローラーで皮膚の表面を回転してマッサージするものでは、肌を波打ちすることができず、充分なマッサージ効果が達成できないという問題点がある。また、マグネシウムイオン等を使用して肌の艶を保つためのスキンケア技術では、皮膚の表面に波打ちを与えて真皮まで刺激を与え、奥深い肌に対して弾力と保湿をすることができない問題点がある。  本考案は、上記の問題点に鑑みてなされたものであり、その主たる目的とする所は、マグネシウムのローラー部とチタンまたは銅等によるローラー部とによって皮膚の肌に回転することによってマッサージの効果を引き出すと共に、２個のローラー部によってより良い皮膚の表面に波打ち作用を与え、適度な刺激となって表皮を整えて美肌効果を達成するための回転美肌用活性器を提供するものである。
【課題を解決するための手段】
【０００４】  本考案は上記目的を達成するために、活性器本体を握柄部と装着部とに構成し、該装着部には、マグネシウムローラー部と、その後方にチタンローラー部または銅ローラー部とを所定間隔に回転自在に並設する。また、該マグネシウムローラー部と該チタンローラー部または該銅ローラー部とを同一寸法の外周とすると共に、内部に各々貫通孔と凹弧孔を穿設し、各々の該貫通孔は、該装着部に設けた各支軸に回転自在に軸止した構成となっている。
【考案の効果】
【０００５】  本考案の回転美肌活性器によれば、従来のように１個のローラー部では、マッサージによって肌を効果的に波打ちすることが困難であるが、本考案のようにマグネシウムローラー部とチタンローラー部または銅ローラー部との２個のローラー部による相乗効果によって肌の波打ちの効果が良好であると共に、肌面を回転させることでマッサージの効果を充分に達成できる効果もある。更に、該マグネシウムのローラー部と、該チタンローラー部または該銅ローラー部との２個のローラー部を水か微温湯に濡らしてマッサージすることで、肌にミネラルが補充されて、肌理の整った化粧のりの良いつるつるする肌となる効果がある。  また、肌の波打ちの効果は、真皮まで刺激を与え、奥深い肌に対して弾力と保湿等の効果がある。更に、面倒な準備をすることなく容易に何人でも並設された２個のローラー部によって長期間に亘って良いマッサージ操作ができる効果もある。
【考案を実施するための最良の形態】
【０００６】  本考案の回転美肌活性器は、何人でも握柄部を持って皮膚の表面にマグネシウムローラー部とチタンローラー部または銅ローラー部の２個のローラー部を肌に軽く転がすことで充分にマッサージ効果を果し、また、２個のローラー部によって肌に対して自然に波打ちして適度の刺激を以って皮膚の表面をすべすべに整えて行くことができる。
【実施例】
【０００７】  本考案の実施例を図面について説明すると、回転美肌用の活性器本体（１）は、把手操作用の握柄部（２）と、ローラー取付部となる装着部（３）とより構成されている。該装着部（３）には、前方にマグネシウム製よりなるマグネシウムローラー部（５）を設け、そのマグネシウムローラー部（５）の後方には、所定の間隔を設けて、チタン金属よりなるチタンローラー部（６）または銅製よりなる銅ローラー部（６）とを並設してある。  該マグネシウムローラー部（５）と該チタンローラー部（６）または該銅ローラー部（６）とは、同一寸法の外周よりなる円形に形成される。且つ該マグネシウムローラー部（５）と該チタンローラー部（６）または該銅ローラー部（６）とには、各々内部に軸止される貫通孔（９）及び凹弧孔（１０）を穿設されている。該貫通孔（９）及び咳凹弧孔（１０）には、該装着部（３）に設けてある支軸（７）と支軸（８）とに回転自在に軸止されている。なお、本考案の各回転ローラー部は、権利の範囲内において、２個のローラー部に１個のローラー部を加えて３個のローラー部を構成することもある。
【図面の簡単な説明】
【０００８】
【図１】本考案の活性器本体の全体の正面図である。
【図２】同じく本考案の一部欠除した側面図である。
【図３】本考案の各ローラー部の縦断側面図である。
【符号の説明】
【０００９】    １          活性器本体    ２          握柄部    ３          装着部    ５          マグネシウムローラー部    ６          チタンローラー部または銅ローラー部    ７、８      支軸    ９          貫通孔    １０        凹弧孔
【図１】
0003104107.tif 000003
【図２】
0003104107.tif 000004
【図３】
0003104107.tif 000005
(57)【要約】      （修正有）【課題】ノートパソコンの底面を覆う装着カバーを可動可能にし、該底面とカバーの間に角度を持たせキーボード入力時の操作性向上と該底面からのノートパソコンの放熱を目的としている。【解決手段】ノートパソコンのキーボード側底面と装着カバー１とをヒンジ又は可動可能な接着性係止材で接合し、ノートパソコンの液晶側５ａ底面を持ち上げる支持脚３を装着カバーに設けることによりノートパソコン使用時にキーボードに傾斜を与え、キー入力操作性を向上させまたノートパソコン底面からの放熱を助ける。【選択図】図３
0003104106.tif 000002
【実用新案登録請求の範囲】
【請求項１】
ノートパソコンの底面を覆う装着カバーに於いて、装着カバーと該底面との間に隙間を生じる傾斜角度を持たせる支持脚を備えた装着カバー。
【請求項２】
請求項１の装着カバーの支持脚を、液晶部を開く動作に連動して装着カバーと該底面との間に隙間を生じる位置に配置したことを特徴とする装着カバー。
【請求項３】
請求項１の装着カバーにおいて、装着カバーと該底面との間に隙間を生じさせる支持脚を摺動可能な凸片としたことを特徴とする装着カバー。
【考案の詳細な説明】
【考案の詳細な説明】
【技術分野】
【０００１】    本考案は、ノートパソコン用保護カバーに関する物である。
【背景技術】
【０００２】    従来の技術思想では、ノートパソコン用保護カバーは本体を衝撃、傷等から保護することを目的としており、本体に密着して装着する方法が用いられ、本体と保護カバーが傾斜、放熱を目的とした可動可能な装着方法は考えられていなかった。
【考案が解決しようとする課題】
【０００３】    本考案はノートパソコンの底面を覆う装着カバーを可動可能にし、該底面とカバーの間に角度を持たせキーボード入力時の操作性向上と該底面からのノートパソコンの放熱を目的としている。
【課題を解決するための手段】
【０００４】    本考案ではノートパソコンのキーボード側底面と装着カバーとをヒンジ又は可動可能な接着性係止材で接合し、ノートパソコンの液晶側底面を持ち上げる支持脚を装着カバーに設けることによりノートパソコン使用時にキーボードに傾斜を与え、キー入力操作性を向上させまたノートパソコン底面からの放熱を助ける。
【実施例】
【０００５】    以下添付図面に基づいて本考案を説明する。
図１は本考案のノートパソコン用カバー兼用傾斜台の斜視図である。カバーには接着性係止材４を配置しノートパソコンと接続する。接着性係止材はベルクロテープの様に取り外し可能な部材を用いる。図２はノートパソコンに装着カバーを取り付けて液晶部を閉じた状態の側面図である。図３は液晶部を開きノートパソコン使用時の側面図である。ノートパソコンのヒンジ部は液晶部とずれて配置される場合が多いためヒンジが支持脚に押し上げられることによりノートパソコン底部と装着カバーの間に隙間が生じる。
図４は液晶部のヒンジ位置が異なるノートパソコンに於いて支持脚に液晶部を支持させる補助片を装着した実施例の側面図である。
図５は補助片と支持脚により液晶部を開く動作に連動して装着カバーと該底面との間に隙間を生じさせた一実施例の側面図である。
図６は装着カバーに摺動凸片を配置した一実施例の斜視図である。
図７は装着カバーの摺動凸片をカバー外側に移動させ液晶部を閉じた収納状態の一実施例の側面図である。
図８は装着カバーの摺動凸片をカバー内側に移動し装着カバーと該底面との間に隙間を生じさせたノートパソコン使用時の一実施例の側面図である。【０００６】装着カバー１は接着性係止材及び、緩衝剤２支持脚部３によりノートパソコンに装着係止される。液晶部を開くと接着性係止材を支点としてノートパソコンヒンジ部が支持脚に押し上げられ液晶部が上昇する。液晶部の上昇によりノートパソコン底部と装着カバーの間に隙間が生じる。接着性係止材を支点としてノートパソコン本体には傾斜がつく。
【考案の効果】
【０００７】    このように本考案のノートパソコン用傾斜台兼用カバーを装着することにより、持ち歩きの際は本体を傷から守り、机上で使用する際は適度な傾斜が作業者の入力効率を高める。またノートパソコンは放熱をノートパソコン底面全体から行っており、その熱をカバーと底面の間に生じた隙間から逃がすため放熱効果が大きい。さらに作業者が膝の上にノートパソコンを置いて作業する場合は膝に直接伝わる熱を遮断する。本考案はノートパソコンの放熱とキー入力操作性の向上さらに作業者への熱の遮断及びノートパソコンの保護を目的として考案した。本考案の実施によりノートパソコン本来の場所を選ばない使用がさらに快適になる。
【図面の簡単な説明】
【図１】    支持脚を備えた装着カバーの斜視図である。
【図２】    支持脚を備えた装着カバーの収納時の側面図である。
【図３】    支持脚を備えた装着カバーの使用時の側面図である。
【図４】    補助片を装着した装着カバーの収納時の側面図である。
【図５】    補助片を装着した装着カバーの使用時の側面図である。
【図６】    装着カバーに凸片を配置した装着カバーの斜視図である。
【図７】    装着カバーに凸片を配置した装着カバーの収納時の側面図である。
【図８】    装着カバーに凸片を配置した装着カバーの使用時の側面図である。
【符号の説明】
１装着カバー、２緩衝剤、３支持脚部、４接着性係止材、５ノートパソコン、５ａノートパソコン液晶部、６補助片、７凸片、７ａ凸片移動穴
【図１】
0003104106.tif 000003
【図２】
0003104106.tif 000004
【図３】
0003104106.tif 000005
【図４】
0003104106.tif 000006
【図５】
0003104106.tif 000007
【図６】
0003104106.tif 000008
【図７】
0003104106.tif 000009
【図８】
0003104106.tif 000010
(57)【要約】【課題】  胸部を暑さや寒さから守ることができ、乳房形状の補整効果及び耐久性に優れたカップを有する衣類を提供すること。【解決手段】  ポリマーバインダーによって結合されたパット又はウェブを含み、マイクロカプセル内に封入され、一定温度で熱を吸収したり放出する熱調節材がポリマーバインダー内に分散して含有された不織布５と、軟質発泡ポリウレタンシート４とを積層して成る積層材を素材とするパッド３が、胸部に設けた一対のカップの内部にそれぞれ収納されている。【選択図】          図１
0003104317.tif 000002
【実用新案登録請求の範囲】
【請求項１】
ポリマーバインダーによって結合されたパット又はウェブを含み、マイクロカプセル内に封入され、一定温度で熱を吸収したり放出する熱調節材が前記ポリマーバインダー内に分散して含有された不織布と、軟質発泡ポリウレタンシートとを積層して成る積層材を素材とするパッドが、胸部に設けた一対のカップの内部にそれぞれ収納されていることを特徴としたカップを有する衣類。
【請求項２】
前記不織布が、前記カップの肌側に配置されている請求項１に記載のカップを有する衣類。
【考案の詳細な説明】
【技術分野】
【０００１】
本考案は、ブラジャー、ビスチェ、ボディスーツ、水着、ブラスリップ等の胸部カップを有する衣類に関する。
【背景技術】
【０００２】
従来、カプセル化された熱調節材を含有し、一定温度に達したとき、熱調節材が熱を吸収したり、放出することにより、寒冷な又は熱い環境からの防御機能を発揮する熱調節性不織布が知られている（特許文献１参照）。
この不織布を衣類の胸部パッドとして使用すると、心臓部に近く、温度変化に敏感な胸部を暑さや寒さから守ることができる。
しかし、このような不織布シートは、薄くて保形性が低いため、胸部パッドの第１の目的である高度な補整効果を期待できないばかりか、洗濯に対する耐久性が低いので、長期間使用すると型崩れする虞があった。
【０００３】
【特許文献１】国際公開第０２／１２６０７号パンフレット
【考案の開示】
【考案が解決しようとする課題】
【０００４】
本考案が解決しようとする課題は、胸部を暑さや寒さから守ることができ、乳房形状の補整効果及び耐久性に優れたカップを有する衣類を提供することにある。
【課題を解決するための手段】
【０００５】
本考案の胸部カップを有する衣類は、ポリマーバインダーによって結合されたパット又はウェブを含み、マイクロカプセル内に封入され、一定温度で熱を吸収したり放出する熱調節材が前記ポリマーバインダー内に分散して含有された不織布と、軟質発泡ポリウレタンシートとを積層して成る積層材を素材とするパッドが、胸部に設けた一対のカップの内部にそれぞれ収納されている。
前記不織布は、前記カップの肌側に配置すると良い。
【考案の効果】
【０００６】
請求項１に係る考案によれば、胸部に装着されたパッドの素材として、熱調節材を含有した不織布を用いてあるので、熱調節剤が熱を吸収したり放出することにより、胸部を暑さや寒さから守ることができ、寒冷時或いは熱暑時にも快適に過ごすことができる。
また、不織布に軟質ポリウレタンシートを積層してあるため、乳房形状を補整する効果が高く、洗濯を繰り返しても型くずれする心配がない。
請求項２に係る考案によれば、熱調節材が肌の近くに配置されるため、熱調節材が熱を吸収したり放出したときに涼しさや暖かさを感じやすく、いっそう快適である。
【考案を実施するための最良の形態】
【０００７】
以下、カップを有する衣類がブラジャーである実施例について、図面に基づき詳細に説明する。図１は、パッドの断面図、図２は、ブラジャーの斜視図である。
図２に示すように、ブラジャー１の胸部には一対のカップ２が形成され、各カップ２にそれぞれパッド３が収納される。パッド３は、カップ２に出し入れ可能としても良いし、カップ２に縫い止めても良い。
【０００８】
パッド３は、図１に示すように、軟質発泡ポリウレタンシート４と不織布５とを積層し、その両面にさらにライニング材６を重ねて成る積層材を素材とする。
軟質発泡ポリウレタンシート４は、高反発発泡体であっても、低反発発泡体であっても良く、厚さ１mm〜１０mmとする。
ライニング材６は、トリコット、ハーフトリコット、天竺、ツーウェイトリコット等の布を用いる。
【０００９】
不織布５は、上記特許文献１に記載されたものであり、ポリマーバインダーによって結合されたパット又はウェブを含み、マイクロカプセル内に封入された熱調節材がポリマーバインダー内に分散して含有されている。
パット又はウェブは、ポリエステル繊維、ポリアミド繊維等の繊維を密着させたものであり、軽度に予備結合したパット又はウェブを、アクリル樹脂、ポリウレタン樹脂等のポリマーバインダーと熱調節材との混合液中に浸し、その後乾燥することにより、熱調節材が分散して含有された不織布５を得る。
【００１０】
熱調節材は、固相−液相転移、或いは、固相−固相転移によって、一定温度で熱を吸収したり放出する相変化物質である。このような熱調節材としては、例えばパラフィン系炭化水素、パルミチン酸メチルのような脂肪エステル、２，２−ジメチル−１，３−プロパンジオールや２−ヒドロキシメチル−２−メチル−１，３−プロパンジオールのようなプラスチック結晶がある。
また、熱調節材は、大きさが約１０〜５０ミクロンの、熱伝達を阻害しにくい薄いマイクロカプセル内に封入されている。
【００１１】
軟質発泡ポリウレタンシート４、不織布５及びライニング材６は、感熱接着剤を介して積層され、モールド加工により椀形の乳房形状に成形される。
なお、パッド３は、不織布５が肌側に配置され、軟質発泡ポリウレタンシート４が外側に配置されるようカップ２内に取り付けられており、不織布５に含まれる熱調節材が熱を吸収したり放出した時に、暖かさや涼しさを感じやすくなっている。
【図面の簡単な説明】
【００１２】
【図１】パッドの断面図。
【図２】ブラジャーの斜視図。
【符号の説明】
【００１３】
１  ブラジャー
２  カップ
３  パッド
４  軟質発泡ポリウレタンシート
５  不織布
６  ライニング材
【図１】
0003104317.tif 000003
【図２】
0003104317.tif 000004
(57)【要約】      （修正有）【課題】三角コーナー内に溜まったゴミを容易に、且つ手軽に廃棄処分でき、さらには経済面や衛生面、また地球環境にも優れた効果を発揮する使い捨て三角コーナーを提供する。【解決手段】流し台のコーナーに配設し、生ゴミ等を収容させる三角コーナー１において、かかる三角コーナーをポリプロピレンにて形成すると共に、前記三角コーナーに複数の開孔部６を穿孔したことを特徴とする。また、前記三角コーナーを積み重ね可能なテーパー状に形成した。【選択図】図１
0003104395.tif 000002
【実用新案登録請求の範囲】
【請求項１】
流し台のコーナーに配設し、生ゴミ等を収容させる三角コーナーにおいて、かかる三角コーナーをポリプロピレンにて形成すると共に、前記三角コーナーに複数の開孔部を穿孔したことを特徴とする使い捨て三角コーナー。
【請求項２】
前記三角コーナーを積重可能なテーパー状に形成した請求項１記載の使い捨て三角コーナー。
【考案の詳細な説明】
【技術分野】
【０００１】  本考案は、流し台に配設される三角コーナーにおいて、特に、溜まった生ゴミ等を容易に、且つ衛生的に廃棄処分することができ、さらには環境問題にも良好な使い捨て三角コーナーに関する。
【背景技術】
【０００２】  従来、長期にわたって目詰まりが生じにくく、かつその間の使用によって変色し難い流し台用ゴミ収納器がある（例えば、特許文献１参照）。
【特許文献１】特開平１１−２０８８０３号公報（第１−２頁、図１）
【考案の開示】
【考案が解決しようとする課題】
【０００３】  上掲特許文献１の流し台用ゴミ収納器は、銅または銅合金で構成される収納器の表面に被覆層を有し、前記収納器を貫通する複数の水切孔が、前記水切孔内で前記銅または銅合金が露出するように形成されている。そのため、流し台用ゴミ収納器が長期にわたって目詰まりが生じにくく、かつその間の使用によって変色し難いとされている。しかしながら、収納器内にゴミが溜まった場合、そのゴミを袋等に廃棄した後、その度ごとに収納器を水洗いしなければならなかった。また、長期間同じ収納器を使い続けることは、衛生面においても問題があった。【０００４】  そこで本考案は、上記した従来技術の問題点を解消し、三角コーナー内に溜まったゴミを容易に、且つ手軽に廃棄処分でき、さらには経済面や衛生面、また地球環境にも優れた効果を発揮する使い捨て三角コーナーを提供することにある。
【課題を解決するための手段】
【０００５】  上記課題を解決するために、本考案の使い捨て三角コーナーは、流し台のコーナーに配設し、生ゴミ等を収容させる三角コーナーにおいて、かかる三角コーナーをポリプロピレンにて形成すると共に、前記三角コーナーに複数の開孔部を穿孔したことを特徴とする。また、前記三角コーナーを積重可能なテーパー状に形成した。
【考案の効果】
【０００６】  三角コーナーをポリプロピレンにて形成することにより、熱可塑性で軽く、丈夫で耐熱性・透明度に優れ、さらには低価格で大量生産が可能な使い捨ての三角コーナーを形成することができる。また、ポリプロピレン素材で形成することにより、環境ホルモンの問題やダイオキシンによる環境汚染の発生を防ぐことができる。さらには、三角コーナーを積重可能なテーパー状に形成することで、運搬や収納面での高い利便性が得られる。
【考案を実施するための最良の手段】
【０００７】  以下、本考案における使い捨て三角コーナーの実施の形態を図面に基づいて説明する。
図示する三角コーナー１は、流し台に溜まったゴミを容易に、且つ手軽に廃棄処分でき、さらには使い捨て用にすることで、経済的で衛生面にも優れた特徴を発揮するものである。
【０００８】  前記三角コーナー１は、三面に立設された側面２と、側面２の底部に形成された底面３とで構成されており、前記側面２の上部周囲には補強用としての折返部４が、底面３の適宜個所（図中３箇所）には脚部５が形成されている。また、前記側面２と底面３には、複数の水切り用の開孔部６が穿孔されている。なお、前記開孔部６は図中、円状に形成されているがこれに限らず、長孔状や多角形状であってもよい。
【０００９】  また特に、前記三角コーナー１は、合成樹脂の一種であるポリプロピレンの素材にて薄状に形成されている。ポリプロピレンは熱可塑性で軽く、丈夫で耐熱性・透明度・耐薬品性に優れ、低価格で大量生産が可能であるという特徴を有する。前記三角コーナー１をポリプロピレンにて形成することで、使い捨て用として利用することができ、従来の繰り返しの使用による衛生面での問題が軽減される。また、溜まったゴミをゴミ袋等に移し変えるという煩わし作業も解消できる。さらには、素材をポリプロピレンに限定したことで、汎用のポリカーボネート素材における環境ホルモンの問題、また塩化ビニール素材における、燃焼時のダイオキシン発生等の問題を回避できる。そのことにより、通常の可燃ゴミとして生ゴミと一緒に処分することができ、地球環境の改善にも寄与することができる。
【００１０】  また他の好適例として、図２に示すように、前記三角コーナー１を積重可能なテーパー状に形成することが好ましい。前記三角コーナー１の側面２を底面３にかけて先細のテーパー状に形成することで、図３に示すように、複数の三角コーナー１を積み重ねることが可能となる。そのことにより、運搬や収納面での高い利便性が得られる。
【図面の簡単な説明】
【００１１】
【図１】本考案の使い捨て三角コーナーの全体斜視図である。
【図２】矢視状態の断面図である。
【図３】使い捨て三角コーナーを積重した状態の側面図である。
【符号の説明】
【００１２】１  三角コーナー
２  側面
３  底面
４  折返部
５  脚部
６  開孔部
【図１】
0003104395.tif 000003
【図２】
0003104395.tif 000004
【図３】
0003104395.tif 000005
(57)【要約】【課題】  従来は製造メーカーが物や場所に合わせてデジタル時計付商品として製造販売していた、そのためユーザーの愛着のある物や希望する場所に装着する事が出来ずシールのように簡単に取付け出来る商品の必要性が課題である。【解決手段】  図１の１太陽電池と２時間帯カラー発光表示板部３液晶デジタル時計表示板部５時刻設定用接点５ａタイマーアラーム時間書設定用接点１０アラームブザー１１ＬＥＤをランプを組み込んだ４基板台との構成で４基板台裏面の強力接着テープのシールをはがしユーザーの希望する愛着商品や場所に気楽に本、しおり、団体旅行ワッペン、手帳、財布、机、ランドセル、カバン、バック、置物，額絵など、あらゆる物にシールのように貼り付けて便利に使用できる効果がある。【選択図】    図１
0003104391.tif 000002
【実用新案登録請求の範囲】
【請求項１】
時間帯表示を６等分しＥＬ発光板の６色カラーで時間帯をアナログ表示し、なお時刻とアラーム時間をデジタル液晶表示できる基板台裏面接着剤付シール型デジタル時計板。
【考案の詳細な説明】
【技術分野】
【０００１】  本考案は薄型のデジタル液晶時計板を場所、物に関係なくシールのように平らな所に接着可能なデジタル時計に関する。
【背景技術】
【０００２】  従来は製造メーカーが物や場所に合わせてデジタル時計付商品として製造し販売していた、そのためユーザーの愛着のある物や希望している場所に付属品として装着することが出来なかった。
【考案の開示】
【考案が解決しようとする課題】
【０００３】  本考案にたいし、いろいろな物、場所に装着することが出来るようにするための供給電源、時刻設定やアラームタイマー設定機能付でかつ薄く小型化の問題を解決しようとする課題。
【課題を解決するための手段】
【０００４】  本考案の供給電源については消費電力の少ないカスタム低電圧ＣＭＯＳマイクロプロセッサーを利用して太陽電池を使用する、【０００５】  時刻やアラームタイマーの設定は基板台の一部の露出した本体接点に時刻タイマー書込み機を接続セットして設定する、【０００６】  薄型で小型の問題は時計機能部、液晶表示部、発信部、アラームメモリー部を一体化したカスタムＩＣを製作しコストダウンを行う、
【考案の効果】
【０００７】  本考案のデジタル時計板は太陽電池を電源とし薄型の基板台裏面の接着テープをはがし好きな場所、物、例えば本、しおり、団体旅行ワッペン、手帳、財布、机、ランドセル、カバン、バック、置物、額絵、などあらゆる物に貼り付けて便利に使用できる効果がある。
【考案を実施するための最良の形態】
【実施例】
【０００８】  添付図面に従って実施例を説明する、図１の１太陽電池部と２ＥＬ板カラー発光板アナログ時間表示部３液晶デジタル時計表示板部と基板台に５時刻設定用接点と５ａタイマーアラーム時間設定書込み接点をもうけた４基板台に組み込まれて構成されている、【０００９】  時刻設定には図２時刻タイマー書込み機の６時計本体セット部に本体を接点を下にしてセットし７デジタルスイッチに設定したい時刻に合わせ８時刻設定ボタンを押し時刻設定は完了です、【００１０】  タイマーアラーム機能データー設定には図２時刻タイマー書込み機の６時計本体セット部に本体を接点を下にしてセットし７デジタルスイッチに設定したいタイマー時間を設定し９タイマー設定ボタンを押しタイマー設定は完了と同時にタイマーが減算を始め０表示になると１０アラームブザーが鳴り１１ＬＥＤランプが点滅してタイマー終了を知らせます。【００１１】  図３は６台紙に７両面接着テープを張った製品図と図４は応用使用例参考図で図のように利用する事が出来る一例です。
【図面の簡単な説明】
【００１２】
【図１】    接着型デジタル時計板正面本体図である。
【図２】    時刻タイマー書込み機斜視図である。
【図３】    詰め合わせ製品正面図である。
【図４】    応用利用参考例斜視図である。
【符号の説明】
【００１３】  １  太陽電池部
２  ＥＬカラー発光板アナログ時間表示部
３  液晶デジタル時計表示部
４  基板台
５  時刻設定用接点
５ａ  タイマー設定用接点
６  台紙
７  ４の裏面接着テープ部
８  時刻設定ボタン
９  タイマー設定ボタン
１０  アラームブザー
１１  ＬＥＤランプ
【図１】
0003104391.tif 000003
【図２】
0003104391.tif 000004
【図３】
0003104391.tif 000005
【図４】
0003104391.tif 000006
(57)【要約】【課題】  傘を立てた時に傘の柄に手荷物などを吊るすことによって、一方の手を自由にすることが出来るようにした傘の柄である。【解決手段】  傘の柄を支柱に沿って伸ばした後、両側（二股）に分岐して湾曲に伸ばした形状とし、分岐部分に溝を設けて、傘を立てた時に、該溝部分に手荷物の吊ひもを掛けて一方の手を手荷物から解放させたものである。溝は傘の支柱の軸線上にあることから、手荷物の荷重が偏ることなく傘の支柱に掛かるので手荷物をバランス良く保持することが出来る傘の柄である。【選択図】  図１
0003104398.tif 000002
【実用新案登録請求の範囲】
【請求項１】
傘（１）の支柱（４）に沿って伸ばした後、両側に分岐して湾曲に伸ばした形状とし、分岐部分に手荷物の吊ひも（７）などを掛ける溝（３）を形成した傘の柄（２）。
【考案の詳細な説明】
【技術分野】
【０００１】
本考案は、傘の支柱（軸）の一端に設けられた傘の柄に関するものである。
【背景技術】
【０００２】
従来  、傘の柄の一部に溝を設け、溝に手荷物を吊るすひもまたは帯（取っ手）を引っ掛けて、傘の柄に手荷物を保持させて、手荷物から手を解放させることによって、身体の疲労の軽減や電車内においては解放された手によって手摺や吊革をもつことが出来るようにしたものはある。
【０００３】
しかし、柄に溝を設けると手荷物の吊ひもが柄から滑り落ちないようにする為に溝を深くそして角のある形状としなければならないが、柄に角のある溝があることから傘が強風によって煽られ飛ばされそうになった時、または老人が杖の代わりとした時に柄を強く握ると掌が溝の角が当たり、掌が痛くなったり傷ついたりといった違和感があるし、柄には大きな力が作用するが、柄に溝を設けると溝の部分の断面積が小さくなることから溝部分で柄が折れ易いといった問題点が生じる。
【０００４】
また、従来の傘の柄は傘の軸に沿って伸びた後、一方の横方向に湾曲に伸びた形状となっている為に、柄の湾曲部に設けた溝に手荷物の吊ひもを掛けると、手荷物の重みが傘の支柱の軸心から外れた方向に掛かることから、手荷物の重みを支える為のバランスを取ることが困難となる。
【０００５】
それに、従来の傘の柄は一方向のみに湾曲した形状となっていることから、柄を握ると、柄と掌の当接面が他方向が掬われたような握りとなるので、風に煽られた時に傘を支える力のバランスを取ることが困難で不安定となる。
【特許文献１】実開平７−９１２２号公報
【非特許文献１】特になし
【考案の開示】
【考案が解決しようとする課題】
【０００６】
本考案は上記問題点を解消するために、傘の柄を握っても違和感を感じることなく、傘を立てて柄に手荷物を吊るす時も、風に煽られて傘を支持する時も力のバランスの取り易い傘の柄とすることを目的としたものである。
【課題を解決するための手段】
【０００７】
上記目的を達成するために、本考案の傘の柄は傘の支柱（軸）に沿って伸ばした後、両側（二股）に分岐して湾曲に伸ばした形状とし、分岐部分に溝を形成した形状とした。傘の先端を下にして立てた状態で使用する時には、該溝に手荷物などの吊ひもや帯（取っ手）等を掛けるようにした。
【考案の効果】
【０００８】
本考案は以下に記載されたような効果を奏する。
手荷物の吊ひもを溝に掛けて手荷物を保持した時は手荷物の荷重が傘の支柱の軸心にかかることから手荷物の荷重が偏ることなくバランスが取り易い。
また、柄を握っても柄に角張った凹凸が無いことから握り易く、柄が湾曲して両側に伸びていることから、支柱を中心に力のバランスが取り易く、風に煽られても傘を飛ばされることが少なく、安定した握りとなる。
【考案を実施するための最良の形態】
【０００９】
本考案の実施の形態を例を上げて説明する。  
【実施例１】
【００１０】
図１に示すように、傘の支柱（軸）４の一端に設けた傘の柄２において、傘の柄２を支柱４に沿って伸ばした後、傘の柄２を両側（二股）に分岐させて湾曲させ、分岐部分に溝３を設けたものである。溝３の底は円弧状に形成した。
【００１１】
傘１の先端５を床または地面に置いて傘１を立て、傘の柄２の溝３部分に手荷物の吊ひも７を掛けて、手荷物６を柄２に吊るすと、手荷物６の荷重は傘の支柱４の軸心で支えることができることから、力のバランスを取ることが容易で支え易いし、溝３の底を円弧状にすると、手荷物の吊ひも７を溝３から取り出し易い。
【００１２】
図２で示すように、傘の柄２を手で握ると、柄２が両方向に分岐して湾曲しているので、掌全面に柄２が当接して握りが安定する。
しかし、通常使用されている一方向のみに湾曲した傘の柄では、柄を握ると傘の支柱４に対して一方が掬われた握りとなり、柄の握りが不安定となる。      
【産業上の利用可能性】
【００１３】
本考案の傘の柄は傘にかかる力のバランスを取り易いことから老人や体の弱い者の負担を軽減すること、車内などにおいて一方の手が自由になる便利さから見て有用である。
【図面の簡単な説明】
【００１４】
【図１】本考案の傘の柄を示す概略説明図である。
【図２】本考案の傘の柄を握った状態を示す概略説明図である。
【符号の説明】
【００１５】
１    傘
２    傘の柄
３    溝
４    支柱（軸）
５    先端
６    手荷物
７    手荷物の吊ひも  
【図１】
0003104398.tif 000003
【図２】
0003104398.tif 000004
(57)【要約】【課題】  本考案は、洋式トイレで小便の際、便器から垂れたりこぼれたりする尿によって便器のネジ部分や床との隙間が汚れるのを防ぐ物である。また芳香消臭する物である。【解決手段】  本考案は、シート本体１を洋式トイレの側面に貼る。便器から垂れた尿を吸収し、尿はシート本体１より下には垂れず便器のネジ部分や床との隙間が汚れるのを防ぐ。また、尿の臭いを消臭し芳香する。【選択図】    図２
0003104332.tif 000002
【実用新案登録請求の範囲】
【請求項１】
表は消臭、芳香を有するシート状物に、吸収性を有するシート状物を接着  しており、裏は粘着剤を有するシート状物、剥離紙の積層シート。
【考案の詳細な説明】
【技術分野】
【０００１】  本考案は、洋式便器の側面に貼り付け、小便の際に便器の縁からこぼれたり垂れたりする尿を吸収する。芳香消臭層によりトイレ内を芳香消臭する。本考案は新たなシートに取り替えられる使い捨ての物である。
【背景技術】
【０００２】  尿の飛び散りやこぼれには、足元部分に敷くトイレマットを使用していた。
【考案の開示】
【考案が解決しようとする課題】
【０００３】  小便の際に便器の縁からこぼれたり垂れたりする尿をそのままにしておくと便器と床を接合している複雑構造部分やネジ部分、便器と床との隙間部分が汚れて黄ばんでしまい、掃除に時間や手間がかかり隙間に入り込んだ尿は完全には取りきれない。また隙間に入り込んだ尿により、悪臭がただよう。
【課題を解決するための手段】
【０００４】  本考案は、表は吸収性を有するシート状物に、消臭、芳香を有するシート状物を接着しており、裏は粘着剤を有するシート状物、剥離紙の積層シートで、洋式便器の側面に貼り付ける。吸収、芳香消臭の効果が無くなれば容易に剥がせ新たなシートに取り替えられる使い捨ての物である。従って、洋式便器の側面に尿吸収芳香消臭シートを張ることにより課題を解決しようとするものである。
【考案の効果】
【０００５】  洋式便器の側面に尿吸収芳香消臭シートを張ることにより、小便の際に便器の縁からこぼれたり垂れたりする尿を吸収し、便器と床を接合している複雑構造部分やネジ部分、便器と床との隙間部分に尿が垂れて付着浸入するのを防ぎ、トイレ掃除の手間を省き芳香消臭効果もある。
【考案の実施するための最良の形態】
【０００６】  洋式便器の側面をきれいな布で汚れを拭き取り、尿吸収芳香消臭シートの裏面の剥離紙を剥がし洋式便器の側面に張る。また吸収芳香消臭効果が無くなれば剥がし新たなシートに取り替える。
【図面の簡単な説明】
【０００７】
【図１】本考案の尿吸収芳香消臭シートの正面図である。
【図２】本考案の尿吸収芳香消臭シートの実施例を示す図である。
【図３】本考案の尿吸収芳香消臭シートの断面図である。
【符号の説明】
【０００８】１  尿吸収芳香消臭シート本体
２  芳香消臭層
３  吸収層
４  粘着層
５  剥離紙
【図１】
0003104332.tif 000003
【図２】
0003104332.tif 000004
【図３】
0003104332.tif 000005
(57)【要約】【課題】    風が強いと洗濯物は物干し竿上を動いてしまうか、又は飛ばされてしまった。これをハンガーに手を加えずに解決するのが課題である。【解決手段】    物干し竿に紐又は綱又は縄又は帯状の物を、単数本または複数本らせん状に巻きつける。【選択図】  図１
0003104331.tif 000002
【実用新案登録請求の範囲】
【請求項１】
単数本又は複数本の紐又は綱又は縄又は帯状の物が物干し竿にらせん状に巻いてあることを特徴とする物干し竿。
【考案の詳細な説明】
【技術分野】
【０００１】    本考案は物干し竿に関するものである。
【背景技術】
【０００２】    今までの物干し竿は風が強いと洗濯物が一方に動いてしまい、また洗濯物が風に飛ばされやすかった。
【考案の開示】
【考案が解決しようとする課題】
【０００３】    本考案はハンガーに何も細工をしないで、風が吹いても動きにくく飛びにくい物干し竿の作成を課題とする。
【課題を解決するための手段】
【０００４】    単数本又は複数本の紐又は綱又は縄又は帯状の物１（ここでこれらの断面はどのような形をとってもよい）を物干し竿２にらせん状に巻きつける。例として図１を示す。ここで紐又は綱又は縄又は帯状の物１は伸びちぢみしてもよい。
【考案の効果】
【０００５】    このようにし、ハンガーを紐又は綱又は縄又は帯状の物１と物干し竿２の間に掛けることで、ハンガーは風で動かされにくくまた飛ばされにくくなる。
【考案を実施するための最良の形態】
【０００６】    ２本の紐又は綱又は縄又は帯状の物を反対向きのらせん状に巻きつけたものが一番効率がよく、また効果も多大である。この場合、２本の紐又は綱又は縄又は帯状の物の交差する点が物干し竿上でほぼ直線上に並ぶとさらによい。これは竿に巻く間隔を一定にすれば簡単にできる。
【図面の簡単な説明】
【０００７】
【図１】  紐又は綱又は縄又は帯状の物を２本、物干し竿に巻いた場合の正面図。
【符号の説明】
【０００８】          １  紐又は綱又は縄又は帯状の物
２  物干し竿
【図１】
0003104331.tif 000003
(57)【要約】      （修正有）【課題】送風機と空気加熱部、配送管及び端を閉じた無数の温風噴出し口を持つ中空軸の融雪部分の構成により、放熱量が安定しかつ安全性のある自動車フロントガラス下部の解凍・融雪装置を提供する。【解決手段】送風機１からの空気は排気管を包みこんだ加熱部２で加熱され中空軸３を通り、端を閉じた無数の温風噴出し口を持つ放出軸４に接続された自動車前面ガラス部への解凍・融雪装置。温風を利用した解凍・融雪を特徴とする。【選択図】図１
0003104333.tif 000002
【実用新案登録請求の範囲】
【請求項１】
送風機（１）からの空気は排気管を包みこんだ加熱部（２）で加熱され中空軸（３）を通り、端を閉じた無数の温風噴出し口を持つ放出軸（４）に接続された解凍・融雪装置。
【考案の詳細な説明】
【考案の詳細な説明】
【技術分野】
【０００１】この考案は、加熱された空気を利用した解凍・融雪装置に関するものである。
【背景技術】
【０００２】従来、人手による除雪・解凍・融雪が必要であった。または車内からガラス部への温風吹出しによる解凍・融雪が一般である。
【考案が解決しようとする課題】
【０００３】これは次のような欠点があった。
（イ）積雪地帯で自動車を始動した場合の前面ガラス部が凍結しているので解凍・融雪が必要であった。
（ロ）降雪時の走行中は、前面ガラス下部にワイパーで掃いた雪が溜まるので除雪の必要であった。
（ハ）ワイパーが凍結してフロントガラスに掃き残しが生じた。
本考案は、これらの欠点を除くためになされたものである。
【課題を解決するための手段】
【０００４】送風機（１）からの空気は排気管を包みこんだ加熱部（２）で加熱され中空軸（３）を通り、端を閉じた無数の温風噴出し口を持つ放出軸（４）に接続された解凍・融雪装置。
本考案は、以上のような構成よりなる解凍・融雪機である。
【考案を実施するための最良の形態】
【０００５】以上の構成であるから、エンジンを始動させれば短時間で安定した温風の確保が出来、解凍・融雪が始まる。
【考案の効果】
【０００６】本案は以上のような構成であるから、車内から状況を判断し装置を稼動させれば、温風を利用した解凍・融雪が始まる。
しかも危険がない。
【図面の簡単な説明】
【図１】本考案の斜視図である。
【図２】本考案４放出軸の斜視図である。
【符号の説明】
１は送風機、２は加熱部、３は中空軸、４は放出軸
【図１】
0003104333.tif 000003
【図２】
0003104333.tif 000004
(57)【要約】【課題】ポータブルトイレでの排泄時の発生音の防止を図り、利用後の汚物受容体からの汚物廃棄および汚物受容体の洗浄作業をなくすこと。【解決手段】高分子吸水ポリマーと綿状パルプからなる混合物を不織布でシート状にした吸水シートの周囲をポリエチレン袋の中に袋状に熱圧着した吸水袋を製作し、それをポータブルトイレの汚物受容体の中に設置して排泄に使用し、使用後は吸水袋を汚物受容体から取り出し吸水袋の口を縛って廃棄する。これにより排泄時の発生音を防止し、汚物受容体からの汚物廃棄と汚物受容体の洗浄課題を解決する。【選択図】  図４
0003104335.tif 000002
【実用新案登録請求の範囲】
【請求項１】
高分子吸水ポリマーと綿状パルプの混合物を不織布で挟みシート状にした吸水シートの周囲をポリエチレン製の袋の内部に袋状に熱圧着し、バケツ等ポータブルトイレの汚物受容体の中に設置して排泄に使用する吸水パック。
【考案の詳細な説明】
【考案の開示】
【考案が解決しようとする課題】
【０００１】虚弱高齢者あるいは身体障害者が居室内で使用するポータブルトイレは汚物受容体として主にプラスチック製バケツを使用している。このため、ポータブルトイレ使用の排泄時の発生音が大きく、利用者の精神的負担であるとともに、利用者あるいは介護者にとっては汚物の廃棄と受容体の洗浄作業が課題となっている
【課題を解決するための手段】
【０００２】上記目的を達成するために、高分子吸水ポリマーと綿状パルプからなる混合物を不織布等で挟んでシート状にした吸水シートの周辺部ををポリエチレン袋の中に熱圧着した吸水袋をつくり、ポータブルトイレの汚物受容体であるバケツ等の中に広げて排泄に使用し、使用後にその吸水パックを廃棄することで課題を解決する。
【考案の効果】
【０００３】吸水袋の使用で汚物等の廃棄、バケツ等汚物受容体の洗浄の課題を解決し、また吸水袋内面の柔軟構造による排泄時の発生音の防止により、利用者あるいは介護者の精神的負担を軽減するとともに利用者の残存機能を保つ効果が期待できる。
【図面の簡単な説明】
【０００４】
【図１】汚物受容体と吸水パックの斜視図である。
【図２】吸水袋の断面図である。
【図３】吸水袋を汚物受容体に設置した状態の側面図である。
【図４】吸水袋を汚物受容体に設置した状態の断面図である。
【符号の説明】
１．  ポリエチレン袋
２．  吸水シート
３．  ポリエチレン袋と吸水シートの熱圧着部
４．  ポリエチレン製縛り紐
【図１】
0003104335.tif 000003
【図２】
0003104335.tif 000004
【図３】
0003104335.tif 000005
【図４】
0003104335.tif 000006